(57)【要約】【課題】容器本体の内部に収容された飲料がストローを通して外部に漏れることをより確実に抑えることができる飲料容器を提供すること。【解決手段】飲料容器２は、飲料を収容する容器本体３と、容器本体３に装着されるベース部５と、容器本体３に収容された飲料を排出するストロー飲み口６１を有する飲み口部６と、ベース部５に対して回転可能に装着され、ストロー飲み口６１を露出させるフード開口部を有するフード７と、を備える。フード７がベース部５に対して回転しストロー飲み口６１を覆うと、ストロー飲み口６１は、ベース部５とフード７との間に形成される収容部８１に収容される。ベース部５およびフード７の少なくともいずれかは、ストロー飲み口６１が収容部８１に収容されたときにストロー飲み口６１を挟みストロー飲み口６１の流路を閉塞する閉塞部５３２、７２２を有する。【選択図】図６
2020179886.tif 000002
【特許請求の範囲】
【請求項１】
容器開口部を有し飲料を収容する容器本体と、
前記容器本体に装着され前記容器開口部を覆うベース部と、
前記ベース部に装着され、前記容器本体に収容された前記飲料を排出するストロー飲み口を有する飲み口部と、
前記容器開口部の中心を通る軸を中心軸として前記ベース部に対して回転可能に装着され、前記ストロー飲み口を露出させるフード開口部を有するフードと、
を備え、
前記フードが前記ベース部に対して回転し前記ストロー飲み口を覆うと、前記ストロー飲み口は、前記ベース部と前記フードとの間に形成される収容部に収容され、
前記ベース部および前記フードの少なくともいずれかは、前記ストロー飲み口が前記収容部に収容されたときに前記ストロー飲み口を挟み前記ストロー飲み口の流路を閉塞する閉塞部を有することを特徴とする飲料容器。
【請求項２】
前記ベース部の前記閉塞部は、前記収容部の一部を形成する前記ベース部の表面に湾曲面で接続されたことを特徴とする請求項１に記載の飲料容器。
【請求項３】
前記ストロー飲み口は、前記収容部に収容される際に前記フードに押されて屈曲するとともに、前記ストロー飲み口の軸に対して垂直な断面において中空の楕円形状を呈し、
前記楕円の長軸は、前記ストロー飲み口が屈曲する方向に平行であることを特徴とする請求項１または２に記載の飲料容器。
【請求項４】
前記フードは、前記ストロー飲み口との接触面積を低減する接触面積低減部であって前記ベース部に対して回転する際に前記ストロー飲み口と接触する内面に設けられた接触面積低減部を有することを特徴とする請求項１〜３のいずれか１項に記載の飲料容器。
【請求項５】
前記ベース部は、前記ベース部に対する前記フードの装着を案内する装着案内溝と、前記装着案内溝に接続され前記ベース部に対する前記フードの回転を案内する回転案内溝と、を有し、
前記フードは、前記ベース部に装着される際に前記装着案内溝を通過するともに前記ベース部に対して回転する際に前記回転案内溝に嵌まりつつ前記回転案内溝を移動する爪部を有し、
前記ベース部は、前記装着案内溝と前記回転案内溝との境界部に設けられ前記ベース部に対する前記フードの回転中に前記爪部が前記装着案内溝を通過することを抑制する通過抑制部を有することを特徴とする請求項１〜４のいずれか１項に記載の飲料容器。
【発明の詳細な説明】
【技術分野】
【０００１】
本発明は、飲料を内部に収容し得る飲料容器に関する。
【背景技術】
【０００２】
特許文献１には、飲み口側ストローを有する飲料容器が開示されている。特許文献１に開示された飲料容器は、例えば、乳幼児等が飲料を飲む際に用いるトレーニングコップ等の飲料容器として利用され、乳幼児等が容器の内部に収容された飲料を飲み口側ストローを用いて飲む練習をすることができるという利点を有する。そのため、多くの母親等の保護者がストロー付きの飲料容器を使用している。
【０００３】
特許文献１に記載された飲料容器は、飲料を収容する容器本体と、容器本体の開口部を覆うように容器本体に装着されるベース部と、容器本体内の飲料を排出する飲み口部と、ベース部の上面に沿ってスライド移動可能なフード部と、を備える。利用者は、ベース部の上面に沿ってフード部をスライド移動させ、ベース部の上面を開状態にすることで、飲み口側ストローを露出させることができる。一方で、利用者は、ベース部の上面に沿ってフード部をスライド移動させ、フード部がベース部を覆っている状態（閉状態）にすることで、ベース部とフード部との間に飲み口側ストローを配置させることができる。
【０００４】
しかし、特許文献１に記載された飲料容器では、例えば、利用者が鞄等に飲料容器を入れて持ち運ぶ際に、外力がフード部に加わると、フード部が不意にベース部の上面に沿ってスライド移動することがある。そうすると、利用者が飲料容器を持ち運ぶ際に、容器本体の内部に収容された飲料が飲み口側ストローを通して外部に漏れるおそれがある。容器本体の内部に収容された飲料が飲み口側ストローを通して外部に漏れることをより確実に抑えるという点において、特許文献１に記載された飲料容器には改善の余地がある。
【０００５】
また、特許文献１に記載された飲料容器では、例えば、利用者がベース部の上面に沿ってフード部をスライド移動させベース部を覆う際に、指などの異物がフード部とベース部との間に挟まれるおそれがある。さらに、フード部がベース部の上面に沿ってスライド移動する部分の構造は、複雑であり利用者にとって洗いにくい。このように、より高い安全性や洗浄性を確保するという点において、特許文献１に記載された飲料容器には改善の余地がある。
【先行技術文献】
【特許文献】
【０００６】
【特許文献１】特開２０１６−１０１９５１号公報
【発明の概要】
【発明が解決しようとする課題】
【０００７】
本発明は、前記課題を解決するためになされたものであり、容器本体の内部に収容された飲料がストローを通して外部に漏れることをより確実に抑えることができるとともに、より高い安全性や洗浄性を確保することができる飲料容器を提供することを目的とする。
【課題を解決するための手段】
【０００８】
前記課題は、容器開口部を有し飲料を収容する容器本体と、前記容器本体に装着され前記容器開口部を覆うベース部と、前記ベース部に装着され、前記容器本体に収容された前記飲料を排出するストロー飲み口を有する飲み口部と、前記容器開口部の中心を通る軸を中心軸として前記ベース部に対して回転可能に装着され、前記ストロー飲み口を露出させるフード開口部を有するフードと、を備え、前記フードが前記ベース部に対して回転し前記ストロー飲み口を覆うと、前記ストロー飲み口は、前記ベース部と前記フードとの間に形成される収容部に収容され、前記ベース部および前記フードの少なくともいずれかは、前記ストロー飲み口が前記収容部に収容されたときに前記ストロー飲み口を挟み前記ストロー飲み口の流路を閉塞する閉塞部を有することを特徴とする本発明に係る飲料容器により解決される。
【０００９】
本発明に係る飲料容器によれば、飲み口部は、容器本体に収容された飲料を排出するストロー飲み口を有し、ベース部に装着されている。ストロー飲み口の使用状態において、ストロー飲み口は、フードに設けられたフード開口部から露出される。そのため、乳幼児等の使用者は、フード開口部から露出されたストロー飲み口を用いて本体容器の内部に収容された飲料を飲むことができる。また、フードは、ベース部に対して回転可能に装着されている。例えば、利用者は、飲料容器を持ち運ぶ際などのようにストロー飲み口を不使用状態にする際に、フードをベース部に対して回転させることで、フードによりストロー飲み口を覆うことができる。そして、フードがベース部に対して回転しストロー飲み口を覆うと、ストロー飲み口は、ベース部とフードとの間に形成される収容部に収容される。このとき、フードは、容器開口部の中心を通る軸を中心軸としてベース部に対して回転する。そのため、例えば、利用者が鞄等に飲料容器を入れて持ち運ぶ際に、外力がフードに加わった場合であっても、フードが不意に移動することを抑えることができる。これにより、ストロー飲み口が不意にフード開口部から露出されることを抑えることができ、容器本体の内部に収容された飲料がストロー飲み口を通して外部に漏れることをより確実に抑えることができる。また、ベース部およびフードの少なくともいずれかに設けられた閉塞部は、ストロー飲み口が収容部に収容されたときにストロー飲み口を挟みストロー飲み口の流路を閉塞する。これにより、ストロー飲み口の不使用状態において、容器本体の内部に収容された飲料がストロー飲み口を通して外部に漏れることをより確実に抑えることができる。
【００１０】
本発明に係る飲料容器において、好ましくは、前記ベース部の前記閉塞部は、前記収容部の一部を形成する前記ベース部の表面に湾曲面で接続されたことを特徴とする。
【００１１】
本発明に係る飲料容器によれば、ベース部の閉塞部は、収容部の一部を形成するベース部の表面に湾曲面で接続されている。そのため、フードがベース部に対して回転しストロー飲み口を覆う際に、例えば指などの異物がフードと閉塞部との間に存在している場合であっても、その異物は、湾曲面を滑りフードと閉塞部との間から逃げることができる。これにより、フードがベース部に対して回転しストロー飲み口を覆う際に、例えば指などの異物がフードと閉塞部との間に挟まれることを抑えることができる。また、ベース部の閉塞部がベース部の表面に接続された部分は、湾曲面として形成され簡単な構造を有するため、利用者にとって洗いやすい。このように、ベース部の閉塞部がベース部の表面に接続された部分は、角張らず余計な凹凸のない丸みを有する滑らかな湾曲面として形成されているため、より高い安全性および洗浄性を確保することができる。
【００１２】
本発明に係る飲料容器において、好ましくは、前記ストロー飲み口は、前記収容部に収容される際に前記フードに押されて屈曲するとともに、前記ストロー飲み口の軸に対して垂直な断面において中空の楕円形状を呈し、前記楕円の長軸は、前記ストロー飲み口が屈曲する方向に平行であることを特徴とする。
【００１３】
本発明に係る飲料容器によれば、ストロー飲み口は、ストロー飲み口の軸に対して垂直な断面において中空の楕円形状を呈する。そして、ストロー飲み口の楕円の長軸は、ストロー飲み口が屈曲する方向に平行である。そのため、ストロー飲み口の楕円の短軸がストロー飲み口の屈曲方向に平行である場合と比較して、本発明のストロー飲み口は、ストロー飲み口の屈曲方向の曲げに対して高い曲げ剛性を有する。これにより、フードがベース部に対して回転し、ストロー飲み口がフード開口部から露出されると、ストロー飲み口は、ストロー飲み口の復元力により、屈曲し倒れた状態からより確実に伸張し起きることができる。
【００１４】
本発明に係る飲料容器において、好ましくは、前記フードは、前記ストロー飲み口との接触面積を低減する接触面積低減部であって前記ベース部に対して回転する際に前記ストロー飲み口と接触する内面に設けられた接触面積低減部を有することを特徴とする。
【００１５】
本発明に係る飲料容器によれば、ストロー飲み口との接触面積を低減する接触面積低減部が、フードがベース部に対して回転する際にストロー飲み口と接触する内面に設けられている。そのため、フードがベース部に対して回転しストロー飲み口を覆ったり、フード開口部からストロー飲み口を露出させたりする際に、フードがストロー飲み口と接触することにより生ずる摩擦力および抵抗力を抑えることができ、ストロー飲み口がフードの内面に貼り付き引きずられることを抑えることができる。これにより、利用者は、フードをベース部に対して容易に回転させることができ、フードでストロー飲み口を覆ったり、フード開口部からストロー飲み口を露出させたりすることができる。
【００１６】
本発明に係る飲料容器において、好ましくは、前記ベース部は、前記ベース部に対する前記フードの装着を案内する装着案内溝と、前記装着案内溝に接続され前記ベース部に対する前記フードの回転を案内する回転案内溝と、を有し、前記フードは、前記ベース部に装着される際に前記装着案内溝を通過するともに前記ベース部に対して回転する際に前記回転案内溝に嵌まりつつ前記回転案内溝を移動する爪部を有し、前記ベース部は、前記装着案内溝と前記回転案内溝との境界部に設けられ前記ベース部に対する前記フードの回転中に前記爪部が前記装着案内溝を通過することを抑制する通過抑制部を有することを特徴とする。
【００１７】
本発明に係る飲料容器によれば、フードは、ベース部に装着される際にベース部の装着案内溝を通過するともに、ベース部に対して回転する際にベース部の回転案内溝に嵌まりつつ回転案内溝を移動する爪部を有する。また、フードの爪部がフードの回転中に装着案内溝を通過することを抑制する通過抑制部が、装着案内溝と回転案内溝との境界部に設けられている。これにより、フードがベース部に対して回転する際にベース部から外れることを抑えることができる。
【発明の効果】
【００１８】
本発明によれば、容器本体の内部に収容された飲料がストローを通して外部に漏れることをより確実に抑えることができる飲料容器を提供することができる。
【図面の簡単な説明】
【００１９】
【図１】本発明の第１実施形態に係る飲料容器を表す斜視図である。
【図２】本実施形態に係る飲料容器を表す斜視図である。
【図３】本実施形態に係る飲料容器を図２に表した矢印Ａ３の方向から眺めたときの斜視図である。
【図４】本実施形態にかかる飲料容器を表す側面図である。
【図５】本実施形態に係る飲料容器の分解図である。
【図６】図４に表した切断面Ａ１１−Ａ１１における断面図に相当する図であり、ストロー飲み口が収容部に収容された状態を表す図である。
【図７】本実施形態のフードの内側を表す斜視図である。
【図８】本実施形態のベース部を表す斜視図である。
【図９】本実施形態のベース部を図８に表した矢印Ａ５の方向から眺めたときの斜視図である。
【図１０】図４に表した切断面Ａ１２−Ａ１２における断面図である。
【図１１】本発明の第２実施形態に係る飲料容器を表す斜視図である。
【図１２】本実施形態の飲料容器を表す分解図である。
【図１３】本実施形態の飲料容器を表す斜視図である。
【図１４】本実施形態の飲料容器を表す斜視図である。
【図１５】図１３に表した切断面Ａ１３−Ａ１３における切断面である。
【図１６】本実施形態のフードを表す斜視図である。
【図１７】本実施形態のベース部を表す斜視図である。
【図１８】本実施形態のベース部を表す斜視図である。
【発明を実施するための形態】
【００２０】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２１】
図１〜図１０を参照して、本発明の第１実施形態に係る飲料容器２を説明する。本実施形態に係る飲料容器２は、例えば、乳幼児等の使用者が飲料を飲む練習を行う際に用いるトレーニングコップの飲料容器として利用される。飲料容器２は、ボトル３と、パッキン４と、ベース部５と、飲み口部６と、フード７と、を備える。本実施形態のボトル３は、本発明の「容器本体」の一例である。
【００２２】
ボトル３は、上部に容器開口部３１を有し、内部に飲料を収容することができる。ボトル３は、ガラスや合成樹脂の成形品で形成されており、比較的大きな容器開口部３１を有する。これにより、飲料容器２の使用者等は、飲用後にボトル３を洗浄したり、液体をボトル３に注入したり、粉末ミルクなどをボトル３の内部に入れて調乳したりする作業などを容易に行うことができる。容器開口部３１の外周部３２には、雄ねじが形成されている。一方で、ベース部５のベース部本体５１の内周部には、雌ねじが形成されている。これにより、ボトル３の雄ねじとベース部５の雌ねじとが互いに嵌まり合い、ベース部５は、ボトル３に対して着脱可能とされている。
【００２３】
図５に表したように、パッキン４は、ボトル３およびベース部５の少なくともいずれかに装着可能とされ、ボトル３とベース部５との間に配置される。パッキン４は、シリコーンやエラストマーなどにより形成されリング状を呈する。パッキン４がボトル３とベース部５との間に挟設されることにより、ボトル３とベース部５との間の液密性が確保されている。なお、パッキン４は、ボトル３およびベース部５の少なくともいずれかに一体的に形成されていてもよい。
【００２４】
ベース部５は、ベース部本体５１と、取っ手５２と、ベース部カバー５３と、を有し、剛性の比較的高い材料、言い換えれば硬質の材料で形成されている。ベース部５の材料としては、例えば、ポリプロピレンやポリカーボネートなどの合成樹脂が挙げられる。ベース部５は、ボトル３の容器開口部３１に対向して配置され容器開口部３１を覆い、ボトル３の外周部３２に嵌まり合うことでボトル３に装着可能とされている。
【００２５】
図４に表したように、取っ手５２は、ベース部本体５１の側面に接続され、ベース部本体５１の側面から略鉛直方向の下方に延びている。これにより、乳幼児等の使用者は、取っ手５２を把持しやすく、飲料容器２を容易に持つことができる。なお、図４に表した飲料容器２では、左方向が飲料容器２の前方向（体側）に相当し、右方向が飲料容器２の後方向に相当する。つまり、乳幼児等の使用者が飲料容器２を傾けずに持った状態において、図４の左方向が乳幼児等の使用者の側（手前側）に相当し、図４の右方向が乳幼児等の使用者とは反対側（奥側）に相当する。
【００２６】
ベース部カバー５３は、ベース部本体５１の上部に接続されて略ドーム状を呈し、閉塞部５３２と、切り欠き部５３３と、湾曲部５３４と、を有する。切り欠き部５３３は、ベース部カバー５３のドーム状の部分の一部が斜めに切り欠かれた形状を呈する。本実施形態の切り欠き部５３３の表面は、本発明の「ベース部の表面」の一例である。切り欠き部５３３の中央部には、飲み口部６のストロー飲み口６１の一部が挿通されるベース開口部５３１が設けられている。
【００２７】
閉塞部５３２は、ベース開口部５３１の周囲に設けられ、図４に表したように、切り欠き部５３３の表面から外側に向かって突出している。閉塞部５３２は、飲み口部６のストロー飲み口６１が収容部８１（図６参照）に収容されたときにストロー飲み口６１を潰しストロー飲み口６１の流路を閉塞する。この詳細については、後述する。湾曲部５３４は、閉塞部５３２と切り欠き部５３３との間に設けられ、閉塞部５３２と切り欠き部５３３とを接続している。湾曲部５３４は、湾曲した表面を有し、閉塞部５３２と切り欠き部５３３とを滑らかに接続している。すなわち、閉塞部５３２は、切り欠き部５３３の表面に湾曲面で接続されている。
【００２８】
図５に表したように、ベース部本体５１とベース部カバー５３との間には、周方向に沿って回転案内溝５５が設けられている。回転案内溝５５は、ベース部５に対するフード７の回転を案内する。この詳細ついては、後述する。
【００２９】
飲み口部６は、ストロー飲み口６１と、ストローチューブ６２と、を有し、全体として軟質の材料で形成されている。飲み口部６の材料としては、例えば、水添型スチレンイソプレン共重合樹脂やスチレンブチレン共重合樹脂等のエラストマーや、シリコーンなどが挙げられる。なお、ストロー飲み口６１の材料は、ストローチューブ６２の材料と異なっていてもよいし同じでもよい。
【００３０】
ストロー飲み口６１は、乳幼児等の使用者がボトル３の内部に収容されたミルク等の飲料を飲むために一方の端部を口腔内に挿入するストロー部である。ボトル３の内部に収容された飲料は、ストロー飲み口６１の流路を通り、乳幼児等の使用者の口腔内に供給される。すなわち、ストロー飲み口６１は、ボトル３の内部に収容された飲料をボトル３の外部に排出する。
【００３１】
ストローチューブ６２は、ストロー飲み口６１の他方の端部に接続され、ボトル３の内部に配置される。図５に表したように、ストローチューブ６２は、中間部分において屈曲している。具体的には、ストローチューブ６２の中間部分よりも下側の部分は、ストロー飲み口６１が突出する側（体側：図４の左方向）と同じ側に屈曲している。そのため、乳幼児等の使用者がボトル３の内部に収容された飲料を飲む際、ストロー飲み口６１をくわえて飲料容器２を傾けた場合であっても、ストローチューブ６２の下端部は、ボトル３の内部において液面が低下する飲料に最後まで接触することができる。そのため、乳幼児等の使用者は、飲み口部６を用いて、ボトル３の内部に収容された飲料を残さず最後まで飲むことができる。
【００３２】
フード７は、全体としてドーム状を呈し、例えば合成樹脂により形成されている。図５に表したように、フード７は、フード開口部７１を有する。図１に表した矢印Ａ１および図２に表した矢印Ａ２のように、フード７は、ボトル３の容器開口部３１の中心を通る軸を中心軸７９としてベース部５に対して回転可能に装着されている。
【００３３】
例えば、利用者が飲料容器２を持ち運ぶ際などのようにストロー飲み口６１を不使用状態にする際に、図１に表した矢印Ａ１の方向にフード７をベース部５に対して回転させると、ストロー飲み口６１は、フード開口部７１の縁に押され、図１に表した矢印Ａ４の方向に屈曲し倒れる。そうすると、図２に表したように、ストロー飲み口６１は、フード７により覆われる。つまり、利用者は、図１に表した矢印Ａ１の方向にフード７をベース部５に対して回転させることで、図２に表したようにフード７によりストロー飲み口６１を覆うことができる。図３に表したように、ストロー飲み口６１の不使用状態では、フード開口部７１は、ベース開口部５３１とは反対側のベース部カバー５３の表面により閉塞される。
【００３４】
一方で、例えば、利用者がストロー飲み口６１を使用する際に、図２に表した矢印Ａ２の方向にフード７をベース部５に対して回転させると、ストロー飲み口６１は、フード７から加えられていた力から解放され、ストロー飲み口６１の復元力により、図１に表した矢印Ａ４とは反対方向に伸張し起きる。そうすると、図１および図４に表したように、ストロー飲み口６１は、フード開口部７１から露出される。つまり、利用者は、図２に表した矢印Ａ２の方向にフード７をベース部５に対して回転させることで、図１および図４に表したようにストロー飲み口６１をフード開口部７１から露出させることができる。ストロー飲み口６１の使用状態において、乳幼児等の使用者は、フード開口部７１から露出されたストロー飲み口６１を用いてボトル３の内部に収容された飲料を飲むことができる。
【００３５】
図２に表したように、フード７が図１に表した矢印Ａ１の方向にベース部５に対して回転しストロー飲み口６１を覆うと、ストロー飲み口６１は、ベース部５とフード７との間に形成される収容部８１（図６参照）に収容される。これについて、図６〜１０を参照してさらに詳しく説明する。
【００３６】
図１〜図５に関して前述したように、ベース部５のベース部カバー５３は、ドーム状の部分の一部が斜めに切り欠かれた切り欠き部５３３を有する。また、フード７は、全体としてドーム状を呈する。そこで、図６に表したように、フード７が図１に表した矢印Ａ１の方向にベース部５に対して回転しストロー飲み口６１を覆うと、ベース部カバー５３と、フード７と、の間に、ストロー飲み口６１を収容する収容部８１が形成される。具体的には、収容部８１は、ベース部カバー５３の切り欠き部５３３と、フード７と、の間に形成される空間である。
【００３７】
本実施形態に係る飲料容器２によれば、フード７がストロー飲み口６１を覆い、ストロー飲み口６１が収容部８１に収容される際に、フード７は、図１に表した矢印Ａ１のように、ボトル３の容器開口部３１の中心を通る軸を中心軸７９としてベース部５に対して回転する。そのため、例えば、利用者が鞄等に飲料容器２を入れて持ち運ぶ際に、外力がフード７に加わった場合であっても、フードがベース部の上面に沿ってスライド移動したり、ボトルの容器開口部の中心を通る軸に直交する軸を中心軸として回転し開閉したりする場合と比較して、フード７が不意に移動することを抑えることができる。これにより、ストロー飲み口６１が不意にフード開口部７１から露出されることを抑えることができ、ボトル３の内部に収容された飲料がストロー飲み口６１を通して外部に漏れることをより確実に抑えることができる。
【００３８】
また、図７に表したように、フード７は、フード７の内面７６からフード７の外側に向かって窪んだ凹部７２を有する。すなわち、凹部７２の表面は、フード７の内面７６からみて低い位置に設けられている。フード７がベース部５に対して回転する際に、凹部７２の表面は、フード７から押されて屈曲し倒れたストロー飲み口６１と接触する。本実施形態の凹部７２の表面は、本発明の「ストロー飲み口と接触する内面」の一例である。凹部７２の表面には、接触面積低減部７２１が設けられている。接触面積低減部７２１は、凹部７２の表面がストロー飲み口６１と接触する際の接触面積を低減させる機能を有する。接触面積低減部７２１としては、例えば、凹部７２の表面に施されたシボ加工や、凹部７２の表面に設けられた複数の突起などが挙げられる。
【００３９】
これによれば、フード７がベース部５に対して回転しストロー飲み口６１を覆ったり、フード開口部７１からストロー飲み口６１を露出させたりする際に、フード７がストロー飲み口６１と接触することにより生ずる摩擦力および抵抗力を抑えることができ、ストロー飲み口６１が凹部７２の表面に貼り付き引きずられることを抑えることができる。これにより、利用者は、フード７をベース部５に対して容易に回転させることができ、フード７でストロー飲み口６１を覆ったり、フード開口部７１からストロー飲み口６１を露出させたりすることができる。
【００４０】
図６に表したように、フード７が図１に表した矢印Ａ１の方向にベース部５に対して回転しストロー飲み口６１を覆うと、フード７の閉塞部７２２がベース部カバー５３の閉塞部５３２と対向する位置に配置される。閉塞部７２２は、フード７の凹部７２の端部であり、凹部７２の表面とフード７の内面７６との間の段差部に相当する。図６に表したように、フード７の閉塞部７２２がベース部カバー５３の閉塞部５３２と対向する位置に配置されると、ストロー飲み口６１は、収容部８１に収容され、フード７の閉塞部７２２と、ベース部カバー５３の閉塞部５３２と、に挟まれて潰れる。そして、ストロー飲み口６１の流路が閉塞する。これにより、ストロー飲み口６１の不使用状態において、ボトル３の内部に収容された飲料がストロー飲み口６１を通して外部に漏れることをより確実に抑えることができる。
【００４１】
また、図１〜図５に関して前述したように、湾曲部５３４は、湾曲した表面を有し、閉塞部５３２と切り欠き部５３３とを滑らかに接続している。そのため、フード７が図１に表した矢印Ａ１の方向にベース部５に対して回転しストロー飲み口６１を覆う際に、例えば指などの異物が、フード７のフード開口部７１の縁と、ベース部カバー５３の閉塞部５３２と、の間に存在している場合であっても、その異物は、湾曲部５３４の表面（湾曲面）を滑り、フード７のフード開口部７１の縁と、ベース部カバー５３の閉塞部５３２と、の間から逃げることができる。これにより、フード７がベース部５に対して回転しストロー飲み口６１を覆う際に、例えば指などの異物が、フード７のフード開口部７１の縁と、ベース部カバー５３の閉塞部５３２と、の間に挟まれることを抑えることができる。これにより、より高い安全性を確保することができる。
【００４２】
また、ベース部カバー５３の閉塞部５３２が切り欠き部５３３に接続された部分は、湾曲面として形成され簡単な構造を有するため、利用者にとって洗いやすい。これにより、より高い洗浄性を確保することできる。
【００４３】
このように、ベース部カバー５３の閉塞部５３２が切り欠き部５３３に接続された部分（湾曲部５３４）は、角張らず余計な凹凸のない丸みを有する滑らかな湾曲面として形成されているため、ボトル３の内部に収容された飲料がストロー飲み口６１を通して外部に漏れることを確実に抑えることができるとともに、より高い安全性および洗浄性を確保することができる。すなわち、ストロー飲み口６１の長手方向の軸６１４（図４参照）に沿ってストロー飲み口６１を見たときに、ストロー飲み口６１の左側（図１に表した矢印Ａ４の側）の閉塞部５３２の部分は、ボトル３の内部に収容された飲料がストロー飲み口６１を通して外部に漏れることを抑える機能を有する。一方で、ストロー飲み口６１の長手方向の軸６１４に沿ってストロー飲み口６１を見たときに、ストロー飲み口６１の右側（図１に表した矢印Ａ４とは反対の側）の湾曲部５３４の部分は、例えば指などの異物が、フード７のフード開口部７１の縁と、ベース部カバー５３の閉塞部５３２と、の間に挟まれることを抑える機能を有する。このように、飲料の漏れ防止機能を発揮する部分（ストロー飲み口６１の左側の部分）と、異物の挟み防止機能を発揮する部分（ストロー飲み口６１の右側の部分）と、が互いに別体としてではなくシンメトリー構造を有する同一体として設けられているため、簡単な構成で両機能を実現することができる。
【００４４】
また、図１０に表したように、ストロー飲み口６１は、ストロー飲み口６１の長手方向の軸６１４（図４参照）に対して垂直な断面において中空の楕円形状を呈する。そして、ストロー飲み口６１の楕円の長軸６１３は、ストロー飲み口６１が屈曲する方向（図１０に表した矢印Ａ６および図１に表した矢印Ａ４参照）に略平行である。そのため、ストロー飲み口６１の楕円の短軸がストロー飲み口６１の屈曲方向に略平行である場合と比較して、本実施形態のストロー飲み口６１は、ストロー飲み口６１の屈曲方向の曲げに対して高い曲げ剛性を有する。これにより、フード７がベース部５に対して回転し、ストロー飲み口６１がフード開口部７１から露出されると、ストロー飲み口６１は、ストロー飲み口６１の復元力により、屈曲し倒れた状態からより確実に伸張し起きることができる。
【００４５】
図７に表したように、フード７は、第１爪部７３１と、第２爪部７３２と、第３爪部７３３と、を有する。第１爪部７３１、第２爪部７３２および第３爪部７３３は、フード７の下端部において周方向に互いに離れて設けられ、フード７の内面７６から内側に向かって突出している。図８および図９に表したように、ベース部５は、第１装着案内溝５４１と、第２装着案内溝５４２と、第３装着案内溝５４３と、回転案内溝５５と、を有する。第１装着案内溝５４１、第２装着案内溝５４２および第３装着案内溝５４３は、ベース部カバー５３の下端部において周方向に互いに離れて設けられ、回転案内溝５５に接続されて鉛直方向に延びている。
【００４６】
フード７が図５に表した矢印Ａ７の方向に向かってベース部５に装着される際には、第１爪部７３１は、第１装着案内溝５４１に案内されつつ第１装着案内溝５４１を通過する。第２爪部７３２は、第２装着案内溝５４２に案内されつつ第２装着案内溝５４２を通過する。第３爪部７３３は、第３装着案内溝５４３に案内されつつ第３装着案内溝５４３を通過する。そして、第１爪部７３１、第２爪部７３２および第３爪部７３３は、回転案内溝５５に嵌まる。
【００４７】
図１に表した矢印Ａ１および図２に表した矢印Ａ２のように、フード７がボトル３の容器開口部３１の中心を通る軸を中心軸７９としてベース部５に対して回転する際には、第１爪部７３１、第２爪部７３２および第３爪部７３３は、ベース部５の回転案内溝５５に嵌まりつつ回転案内溝５５を移動する。
【００４８】
ここで、図８に表したように、第１装着案内溝５４１と回転案内溝５５との境界部には、第１通過抑制部５４４が設けられている。第１通過抑制部５４４は、第１装着案内溝５４１の底面から外側に向かって突出した突起部やリブであり、第１爪部７３１、第２爪部７３２および第３爪部７３３がフード７の回転中に第１装着案内溝５４１を通過することを抑制する。また、図９に表したように、第３装着案内溝５４３と回転案内溝５５との境界部には、第２通過抑制部５４５が設けられている。第２通過抑制部５４５は、第３装着案内溝５４３の底面から外側に向かって突出した突起部やリブであり、第１爪部７３１、第２爪部７３２および第３爪部７３３がフード７の回転中に第３装着案内溝５４３を通過することを抑制する。これによれば、フード７がベース部５に対して回転する際にベース部５から外れることを抑えることができる。
【００４９】
なお、図７に表したように、本実施形態のフード７では、第１爪部７３１と第２爪部７３２との間のなす角度Ａ３１、第２爪部７３２と第３爪部７３３との間のなす角度Ａ３２、および第３爪部７３３と第１爪部７３１との間のなす角度Ａ３３は、互いに異なっている。例えば、第１爪部７３１と第２爪部７３２との間のなす角度Ａ３１は１２０°であり、第２爪部７３２と第３爪部７３３との間のなす角度Ａ３２は９０°であり、第３爪部７３３と第１爪部７３１との間のなす角度Ａ３３は１５０°である。また、第１爪部７３１の幅Ｌ１、第２爪部７３２の幅Ｌ２、および第３爪部７３３の幅Ｌ３は、互いに異なっている。これによれば、フード７がベース部５に対して回転する際にベース部５から外れることをより一層抑えることができる。
【００５０】
なお、フード７が有する爪部の数は、３つには限定されず、２つであってもよく、４つ以上であってもよい。また、ベース部５が有する装着案内溝の数は、３つには限定されず、２つであってもよく、４つ以上であってもよい。また、各爪部７３１、７３２、７３３同士の間のなす角度は、前述した例に限定されるわけではない。
【００５１】
図１０に表したように、ストロー飲み口６１は、通気弁６１１と、通気孔６１２と、を有する。通気弁６１１および通気孔６１２は、ベース部カバー５３の上部に設けられた通気開口部５３５（図８および図９参照）に配置され露出されている。通気弁６１１は、ボトル３の内部の陰圧（負圧）を解消する。通気弁６１１は、逆止弁となっており、ボトル３の内部に空気を導入する際にのみ開き、ボトル３の内部から空気を排出する際には閉まる。通気孔６１２は、ボトル３の内部の陽圧を解消し、ボトル３の内部に収容された飲料がストロー飲み口６１から噴出することを防止する。
【００５２】
図２および図３に表したように、ストロー飲み口６１がフード７により覆われ収容部８１に収容された状態（ストロー飲み口６１の不使用状態）では、通気弁６１１は、フード７の内面７６に設けられた第２閉塞用突起７５により閉塞され、通気孔６１２は、フード７の内面７６に設けられた第１閉塞用突起７４により閉塞される。これによれば、ボトル３の内部に収容された飲料が通気弁６１１および通気孔６１２から漏れ出ることを確実に防止することができる。
【００５３】
フード７が図２に表した矢印Ａ２の方向にベース部５に対して回転すると、第１閉塞用突起７４および第２閉塞用突起７５は、フード７の回転に伴って移動し、通気弁６１１および通気孔６１２を開放させる。このとき、例えばボトル３の内部に収容された飲料が温かいときなど、ボトル３の内部の圧力が高まり陽圧となっているときには、ボトル３の内部の圧力は、通気孔６１２を通して開放される。したがって、ボトル３の内部の飲料がストロー飲み口６１から噴出することを防止することができる。
【００５４】
そして、図１および図４に表したように、ストロー飲み口６１がフード開口部７１から露出された状態（ストロー飲み口６１の使用状態）では、通気弁６１１は、開放される一方で、通気孔６１２は、フード７の内面７６に設けられた第２閉塞用突起７５により閉塞される。そのため、乳幼児等の使用者がボトル３の内部に収容された飲料をストロー飲み口６１を用いて飲み、ボトル３の内部の圧力が陰圧（負圧）となると、通気弁６１１は、ボトル３の内部に外気を導入することで、円滑に陰圧を解消することができる。したがって、乳幼児等の使用者がボトル３の内部に収容された飲料を飲み難くなる事態を防止することができる。また、通気孔６１２が第２閉塞用突起７５により閉塞されるため、乳幼児等の使用者が飲料容器２を揺らしたり、落としたりした場合であっても、ボトル３の内部に収容された飲料が通気孔６１２から漏れ出ることを防止することができる。
【００５５】
次に、図１１〜図１８を参照して、本発明の第２実施形態に係る飲料容器２Ａを説明する。なお、第２実施形態に係る飲料容器２Ａの構成要素が、図１〜図１０に関して前述した第１実施形態に係る飲料容器２の構成要素と同様である場合には、重複する説明は適宜省略し、以下、相違点を中心に説明する。
【００５６】
本実施形態に係る飲料容器２Ａは、ボトル３Ａと、パッキン４Ａと、ベース部５Ａと、飲み口部６Ａと、フード７Ａと、を備える。本実施形態のボトル３Ａは、本発明の「容器本体」の一例である。
【００５７】
ベース部５Ａは、ベース部本体５１と、取っ手５２と、ベース部カバー５３Ａと、を有する。図１７および図１８に表したように、ベース部カバー５３Ａは、ベース部本体５１の上部に接続されて略円盤状を呈し、閉塞部５３２と、凹部５３３Ａと、を有する。凹部５３３Ａは、ベース部カバー５３Ａの上面５３６からみてベース部５Ａの内側に向かって窪んだ部分である。閉塞部５３２は、凹部５３３Ａの底面から上側（上面５３６の側）に向かって突出している。
【００５８】
フード７Ａが図１２に表した矢印Ａ２３の方向に向かってベース部５Ａに装着される際には、フード７Ａの第１爪部７３１（図１６参照）は、ベース部５Ａの第１装着案内溝５４１に案内されつつ第１装着案内溝５４１を通過する。フード７Ａの第２爪部７３２（図１６参照）は、ベース部５Ａの第２装着案内溝５４２に案内されつつ第２装着案内溝５４２を通過する。そして、第１爪部７３１および第２爪部７３２は、ベース部５Ａの回転案内溝５５に嵌まる。
【００５９】
図１３に表した矢印Ａ２１および図１４に表した矢印Ａ２２のように、フード７Ａがボトル３Ａの容器開口部３１の中心を通る軸を中心軸７９（図１２参照）としてベース部５Ａに対して回転する際には、第１爪部７３１および第２爪部７３２は、ベース部５Ａの回転案内溝５５に嵌まりつつ回転案内溝５５を移動する。すなわち、図１３に表した矢印Ａ２１および図１４に表した矢印Ａ２２のように、フード７Ａは、ボトル３Ａの容器開口部３１の中心を通る軸を中心軸７９としてベース部５Ａに対して回転可能に装着されている。
【００６０】
例えば、利用者が飲料容器２Ａを持ち運ぶ際などのようにストロー飲み口６１を不使用状態にする際に、図１３に表した矢印Ａ２１の方向にフード７Ａをベース部５Ａに対して回転させると、ストロー飲み口６１は、フード開口部７１の縁に押され、図１３に表した矢印Ａ２４の方向に屈曲し倒れる。そうすると、図１４に表したように、ストロー飲み口６１は、フード７Ａにより覆われる。つまり、利用者は、図１３に表した矢印Ａ２１の方向にフード７Ａをベース部５Ａに対して回転させることで、図１４に表したようにフード７Ａによりストロー飲み口６１を覆うことができる。図１４に表したように、ストロー飲み口６１の不使用状態では、フード開口部７１は、ベース部カバー５３Ａの上面５３６により閉塞される。
【００６１】
一方で、例えば、利用者がストロー飲み口６１を使用する際に、図１４に表した矢印Ａ２２の方向にフード７Ａをベース部５Ａに対して回転させると、ストロー飲み口６１は、フード７Ａから加えられていた力から解放され、ストロー飲み口６１の復元力により、図１３に表した矢印Ａ２４とは反対方向に伸張し起きる。そうすると、図１１および図１３に表したように、ストロー飲み口６１は、フード開口部７１から露出される。つまり、利用者は、図１４に表した矢印Ａ２２の方向にフード７Ａをベース部５Ａに対して回転させることで、図１１および図１３に表したようにストロー飲み口６１をフード開口部７１から露出させることができる。ストロー飲み口６１の使用状態において、乳幼児等の使用者は、フード開口部７１から露出されたストロー飲み口６１を用いてボトル３Ａの内部に収容された飲料を飲むことができる。
【００６２】
図１５に表したように、フード７Ａが図１３に表した矢印Ａ２１の方向にベース部５Ａに対して回転しストロー飲み口６１を覆うと、ベース部カバー５３Ａと、フード７Ａと、の間に、ストロー飲み口６１を収容する収容部８１が形成される。具体的には、収容部８１は、ベース部カバー５３Ａの凹部５３３Ａと、フード７Ａと、の間に形成される空間である。
【００６３】
本実施形態に係る飲料容器２Ａによれば、フード７Ａがストロー飲み口６１を覆い、ストロー飲み口６１が収容部８１に収容される際に、フード７Ａは、図１３に表した矢印Ａ２１のように、ボトル３Ａの容器開口部３１の中心を通る軸を中心軸７９としてベース部５Ａに対して回転する。そのため、第１実施形態に係る飲料容器２に関して前述したように、フード７Ａが不意に移動することを抑えることができる。これにより、ストロー飲み口６１が不意にフード開口部７１から露出されることを抑えることができ、ボトル３Ａの内部に収容された飲料がストロー飲み口６１を通して外部に漏れることをより確実に抑えることができる。
【００６４】
また、図１６に表したように、フード７Ａがベース部５Ａに対して回転する際にストロー飲み口６１と接触する内面７２Ａには、接触面積低減部７２１が設けられている。本実施形態の内面７２Ａは、本発明の「ストロー飲み口と接触する内面」の一例である。接触面積低減部７２１は、フード７Ａの内面７２Ａがストロー飲み口６１と接触する際の接触面積を低減させる機能を有する。接触面積低減部７２１としては、例えば、内面７２Ａに施されたシボ加工や、内面７２Ａに設けられた複数の突起などが挙げられる。
【００６５】
これによれば、フード７Ａがベース部５Ａに対して回転しストロー飲み口６１を覆ったり、フード開口部７１からストロー飲み口６１を露出させたりする際に、フード７Ａがストロー飲み口６１と接触することにより生ずる摩擦力および抵抗力を抑えることができ、ストロー飲み口６１がフード７Ａの内面７２Ａに貼り付き引きずられることを抑えることができる。これにより、利用者は、フード７Ａをベース部５Ａに対して容易に回転させることができ、フード７Ａでストロー飲み口６１を覆ったり、フード開口部７１からストロー飲み口６１を露出させたりすることができる。
【００６６】
図１５に表したように、フード７Ａが図１３に表した矢印Ａ２１の方向にベース部５Ａに対して回転しストロー飲み口６１を覆うと、フード７Ａの閉塞部７２２（図１６参照）がベース部カバー５３Ａの閉塞部５３２と対向する位置に配置される。図１６に表したように、フード７Ａの閉塞部７２２は、フード７Ａの内面７６から内側に向かって突出している。なお、内面７６は、内面７２Ａと同一の面であってもよく、内面７２Ａとは異なる面であってもよい。図１５に表したように、フード７Ａの閉塞部７２２がベース部カバー５３Ａの閉塞部５３２と対向する位置に配置されると、ストロー飲み口６１は、収容部８１に収容され、フード７Ａの閉塞部７２２と、ベース部カバー５３Ａの閉塞部５３２と、に挟まれて潰れる。そして、ストロー飲み口６１の流路が閉塞する。これにより、ストロー飲み口６１の不使用状態において、ボトル３Ａの内部に収容された飲料がストロー飲み口６１を通して外部に漏れることをより確実に抑えることができる。
【００６７】
図１４に表したように、ストロー飲み口６１がフード７Ａにより覆われ収容部８１に収容された状態（ストロー飲み口６１の不使用状態）では、通気弁６１１および通気孔６１２（図１２参照）は、フード７Ａの内面７６に設けられた第２閉塞用突起７５により閉塞される。これによれば、ボトル３の内部に収容された飲料が通気弁６１１および通気孔６１２から漏れ出ることを確実に防止することができる。
【００６８】
フード７Ａが図１４に表した矢印Ａ２２の方向にベース部５Ａに対して回転すると、第１閉塞用突起７４および第２閉塞用突起７５は、フード７Ａの回転に伴って移動し、通気弁６１１および通気孔６１２を開放させる。このとき、例えばボトル３Ａの内部に収容された飲料が温かいときなど、ボトル３Ａの内部の圧力が高まり陽圧となっているときには、ボトル３Ａの内部の圧力は、通気孔６１２を通して開放される。したがって、ボトル３Ａの内部の飲料がストロー飲み口６１から噴出することを防止することができる。
【００６９】
そして、図１１および図１３に表したように、ストロー飲み口６１がフード開口部７１から露出された状態（ストロー飲み口６１の使用状態）では、通気弁６１１は、開放される一方で、通気孔６１２は、フード７Ａの内面７６に設けられた第１閉塞用突起７４により閉塞される。これによれば、第１実施形態に係る飲料容器２に関して前述したように乳幼児等の使用者がボトル３Ａの内部に収容された飲料を飲み難くなる事態を防止することができる。また、乳幼児等の使用者が飲料容器２Ａを揺らしたり、落としたりした場合であっても、ボトル３Ａの内部に収容された飲料が通気孔６１２から漏れ出ることを防止することができる。
【００７０】
本実施形態に係る飲料容器２Ａでは、ストロー飲み口６１は、ストロー飲み口６１の長手方向の軸に対して垂直な断面において中空の円形状を呈する。但し、第１実施形態に係る飲料容器２に関して前述したように、本実施形態のストロー飲み口６１は、ストロー飲み口６１の長手方向の軸に対して垂直な断面において中空の楕円形状を呈していてもよい。これによれば、第１実施形態に関して前述した効果と同様の効果が得られる。また、フード７Ａが有する爪部の数は、２つには限定されず、３つ以上であってもよい。また、ベース部５Ａが有する装着案内溝の数は、２つには限定されず、３つ以上であってもよい。
【００７１】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【００７２】
２、２Ａ：飲料容器、  ３、３Ａ：ボトル、  ４、４Ａ：パッキン、  ５、５Ａ：ベース部、  ６、６Ａ：飲み口部、  ７、７Ａ：フード、  ３１：容器開口部、  ３２：外周部、  ５１：ベース部本体、  ５２：取っ手、  ５３、５３Ａ：ベース部カバー、  ５５：回転案内溝、  ６１：ストロー飲み口、  ６２：ストローチューブ、  ７１：フード開口部、  ７２：凹部、  ７２Ａ：内面、  ７４：第１閉塞用突起、  ７５：第２閉塞用突起、  ７６：内面、  ７９：中心軸、  ８１：収容部、  ５３１：ベース開口部、  ５３２：閉塞部、  ５３３：切り欠き部、  ５３３Ａ：凹部、  ５３４：湾曲部、  ５３５：通気開口部、  ５３６：上面、  ５４１：第１装着案内溝、  ５４２：第２装着案内溝、  ５４３：第３装着案内溝、  ５４４：第１通過抑制部、  ５４５：第２通過抑制部、  ６１１：通気弁、  ６１２：通気孔、  ６１３：長軸、  ６１４：軸、  ７２１：接触面積低減部、  ７２２：閉塞部、  ７３１：第１爪部、  ７３２：第２爪部、  ７３３：第３爪部
【図１】
2020179886.tif 000003
【図２】
2020179886.tif 000004
【図３】
2020179886.tif 000005
【図４】
2020179886.tif 000006
【図５】
2020179886.tif 000007
【図６】
2020179886.tif 000008
【図７】
2020179886.tif 000009
【図８】
2020179886.tif 000010
【図９】
2020179886.tif 000011
【図１０】
2020179886.tif 000012
【図１１】
2020179886.tif 000013
【図１２】
2020179886.tif 000014
【図１３】
2020179886.tif 000015
【図１４】
2020179886.tif 000016
【図１５】
2020179886.tif 000017
【図１６】
2020179886.tif 000018
【図１７】
2020179886.tif 000019
【図１８】
2020179886.tif 000020